Podtech/llm-jp-corpus-v4-ja_patent huggingface dataset:
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
画像処理装置と通信可能な通信装置であって、
現実空間を撮像して映像データを生成する撮像手段と、
前記撮像手段によって生成された前記映像データから、前記通信装置の位置・姿勢を特定するために使われる第１のデータと第２のデータを生成する生成手段と、
前記第１のデータを前記画像処理装置に送信する第１の送信手段と、
前記画像処理装置における前記通信装置の位置・姿勢の特定結果に基づいて、前記第２のデータを前記画像処理装置に送信する必要があるか否かを判定する判定手段と、
前記判定手段による判定結果に基づいて、前記第２のデータを前記画像処理装置に送信する第２の送信手段と、
を有する通信装置。
【請求項２】
前記判定手段により前記第２のデータを送信する必要があると決定された場合に、前記第２の送信手段が送信する第２のデータを選択する選択手段を更に有し、
前記第２の送信手段は前記選択手段により選択された第２のデータを前記画像処理装置に送信することを特徴とする請求項１に記載の通信装置。
【請求項３】
前記生成手段は、前記通信装置の位置・姿勢を特定するための指標を含んだ前記第１のデータを生成し、
前記判定手段は、前記画像処理装置による前記指標の検出状態を解析して、前記第２のデータを送信する必要があるか否かを判定することを特徴とする請求項２に記載の通信装置。
【請求項４】
前記指標の検出状態には、前記指標の形状の検出数と前記指標のパターンの認識数が含まれることを特徴とする請求項３に記載の通信装置。
【請求項５】
前記選択手段は、前記指標の形状の検出数と前記指標のパターンの認識数がそれぞれ所定の閾値より小さい場合に、前記第２のデータの全てを選択することを特徴とする請求項４に記載の通信装置。
【請求項６】
前記選択手段は、前記指標のパターンの認識数が所定の閾値より小さく、前記指標の形状の検出数が閾値以上である場合に、前記映像データの中の、前記指標のパターンの認識が失敗した指標を含むブロックにおける前記第２のデータを選択することを特徴とする請求項４または５に記載の通信装置。
【請求項７】
前記第１のデータは、前記画像処理装置が基本品質の映像を生成するために必要な基本映像データであり、
前記第２のデータは、前記第１のデータと合成されることにより高品質の映像を生成するために必要な拡張映像データであることを特徴とする請求項１から６のいずれか１項に記載の通信装置。
【請求項８】
現実空間を撮像して映像データを生成する撮像手段を有する通信装置と通信可能な画像処理装置であって、
前記撮像手段によって生成された映像データに基づいて前記通信装置において生成された第１のデータを受信する受信手段と、
前記第１のデータに基づいて、前記通信装置の位置・姿勢を特定する第１の特定手段と、
前記第１の特定手段における特定結果を前記通信装置に通知する通知手段と、
前記撮像手段によって生成された映像データに基づいて前記通信装置において生成された第２のデータを、前記通知手段による通知に応じて前記画像処理装置から受信した場合、当該第２のデータに基づいて、前記通信装置の位置・姿勢を特定する第２の特定手段と、
を有することを特徴とする画像処理装置。
【請求項９】
検出手段をさらに有し、
前記第１のデータには、前記通信装置の位置・姿勢を特定するための指標が含まれ、
前記検出手段は、前記第１のデータから前記指標を検出することを特徴とする請求項８に記載の画像処理装置。
【請求項１０】
前記通知には、前記検出手段により検出された前記指標の検出状態が含まれることを特徴とする請求項９に記載の画像処理装置。
【請求項１１】
前記指標の検出状態には、前記指標の形状の検出数と前記指標のパターンの認識数が含まれることを特徴とする請求項１０に記載の画像処理装置。
【請求項１２】
合成手段を更に有し、
前記通信装置から前記第２のデータを受信した場合に、
前記合成手段は、前記第１のデータと前記第２のデータとを合成して合成データを生成し、
前記第２の特定手段は、前記合成データに基づいて前記通信装置の位置・姿勢を特定することを特徴とする請求項８から１１のいずれか１項に記載の画像処理装置。
【請求項１３】
前記第１のデータは、基本品質の映像を取得するために必要な基本映像データであり、
前記第２のデータは、前記第１のデータと合成されることにより高品質の映像を生成するために必要な拡張映像データであることを特徴とする請求項８から１２のいずれか１項に記載の画像処理装置。
【請求項１４】
画像処理装置と通信可能な通信装置の制御方法であって、
現実空間を撮像して映像データを生成する撮像工程と、
前記撮像工程において生成された前記映像データから、前記通信装置の位置・姿勢を特定するために使われる第１のデータと第２のデータを生成する生成工程と、
前記第１のデータを前記画像処理装置に送信する第１の送信工程と、
前記画像処理装置における前記通信装置の位置・姿勢の特定結果に基づいて、前記第２のデータを前記画像処理装置に送信する必要があるか否かを判定する判定工程と、
前記判定工程における判定結果に基づいて、前記第２のデータを前記画像処理装置に送信する第２の送信工程と、
を有する通信装置の制御方法。
【請求項１５】
現実空間を撮像して映像データを生成する撮像手段を有する通信装置と通信可能な画像処理装置の制御方法であって、
前記撮像手段によって生成された映像データに基づいて前記通信装置において生成された第１のデータを受信する受信工程と、
前記第１のデータに基づいて、前記通信装置の位置・姿勢を特定する第１の特定工程と、
前記第１の特定工程における特定結果を前記通信装置に通知する通知工程と、
前記撮像手段によって生成された映像データに基づいて前記通信装置において生成された第２のデータを、前記通知工程における通知に応じて前記画像処理装置から受信した場合、当該第２のデータに基づいて、前記通信装置の位置・姿勢を特定する第２の特定工程と、
を有することを特徴とする画像処理装置の制御方法。
【請求項１６】
請求項１から７のいずれか１項に記載の通信装置の各手段としてコンピュータを機能させるためのプログラム。
【請求項１７】
請求項８から１３のいずれか１項に記載の画像処理装置の各手段としてコンピュータを機能させるためのプログラム。
【手続補正２】
【補正対象書類名】明細書
【補正対象項目名】００１０
【補正方法】変更
【補正の内容】
【００１０】
上記目的を達成するための、本発明の一態様による通信装置は、以下の構成を有する。すなわち、画像処理装置と通信可能な通信装置であって、現実空間を撮像して映像データを生成する撮像手段と、前記撮像手段によって生成された前記映像データから、前記通信装置の位置・姿勢を特定するために使われる第１のデータと第２のデータを生成する生成手段と、前記第１のデータを前記画像処理装置に送信する第１の送信手段と、前記画像処理装置における前記通信装置の位置・姿勢の特定結果に基づいて、前記第２のデータを前記画像処理装置に送信する必要があるか否かを判定する判定手段と、前記判定手段による判定結果に基づいて、前記第２のデータを前記画像処理装置に送信する第２の送信手段と、を有する。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
カメラ付きの玄関子機と、２線ケーブルを介して前記玄関子機と接続するドアホン親機と、を有するドアホンシステムであって、
前記玄関子機および前記ドアホン親機は、
前記２線ケーブルを用いて時分割複信により通信を行い、
前記玄関子機は、
制御データ、音声データあるいは映像データを含むパケットにパケット化して上り信号を生成し、各フレームの上り信号の送信区間において複数のパケットの上り信号を前記ドアホン親機へ送信し、
前記ドアホン親機は、
制御データあるいは音声データを含むパケットにパケット化して下り信号を生成し、各フレームの下り信号の送信区間においてパケットの下り信号を前記玄関子機へ送信する、
ドアホンシステム。
【請求項２】
前記玄関子機および前記ドアホン親機は、
前記上り信号の送信および前記下り信号の送信を、ベースバンド伝送により行う、
請求項１に記載のドアホンシステム。
【請求項３】
前記玄関子機および前記ドアホン親機は、
前記上り信号の送信区間および前記下り信号の送信区間の時間割り当てを規定する送信制御情報に従って、前記上り信号あるいは前記下り信号の送信を行う、
請求項１または２に記載のドアホンシステム。
【請求項４】
前記玄関子機および前記ドアホン親機の少なくとも一方は、
最初のフレームの開始タイミングを、前記玄関子機および前記ドアホン親機の他方に通知する、
請求項３に記載のドアホンシステム。
【請求項５】
前記玄関子機は、
各フレームの前記上り信号の送信区間において、制御データおよび音声データを含む１つのパケットの上り信号と、映像データを含む複数のパケットの上り信号を送信する、
請求項１から４のいずれか一項に記載のドアホンシステム。
【請求項６】
前記玄関子機は、
マンチェスタ符号を用いて前記パケットに所定の変調周期毎に立上りあるいは立下がりを発生させて前記上り信号を生成し、
ドアホン親機は、
マンチェスタ符号を用いて前記パケットに所定の変調周期毎に立上りあるいは立下がりを発生させて前記下り信号を生成する、
請求項１から５のいずれか一項に記載のドアホンシステム。
【請求項７】
カメラ付きの玄関子機とドアホン親機とが２線ケーブルを介して時分割複信により通信を行うドアホンシステムにおける通信方法であって、
前記玄関子機が、制御データ、音声データあるいは映像データを含むパケットにパケット化して上り信号を生成するステップと、
前記玄関子機が、各フレームの上り信号の送信区間において複数のパケットの上り信号を送信するステップと、
前記ドアホン親機が、制御データあるいは音声データを含むパケットにパケット化して下り信号を生成するステップと、
前記ドアホン親機が、各フレームの下り信号の送信区間においてパケットの下り信号を送信するステップと、を有する、
通信方法。
【請求項８】
前記上り信号を送信するステップにおいて、
前記玄関子機が、各フレームの前記上り信号の送信区間において、制御データおよび音声データを含む１つのパケットの上り信号と、映像データを含む複数のパケットの上り信号を送信する、
請求項７に記載の通信方法。
【手続補正２】
【補正対象書類名】明細書
【補正対象項目名】００１０
【補正方法】変更
【補正の内容】
【００１０】
本開示のドアホンシステムは、カメラ付きの玄関子機と、２線ケーブルを介して前記玄関子機と接続するドアホン親機と、を有するドアホンシステムであって、前記玄関子機および前記ドアホン親機は、前記２線ケーブルを用いて時分割複信により通信を行い、前記玄関子機は、制御データ、音声データあるいは映像データを含むパケットにパケット化して上り信号を生成し、各フレームの上り信号の送信区間において複数のパケットの上り信号を前記ドアホン親機へ送信し、前記ドアホン親機は、制御データあるいは音声データを含むパケットにパケット化して下り信号を生成し、各フレームの下り信号の送信区間においてパケットの下り信号を前記玄関子機へ送信する。
【手続補正３】
【補正対象書類名】明細書
【補正対象項目名】００１１
【補正方法】変更
【補正の内容】
【００１１】
本開示の通信方法は、カメラ付きの玄関子機とドアホン親機とが２線ケーブルを介して時分割複信により通信を行うドアホンシステムにおける通信方法であって、前記玄関子機が、制御データ、音声データあるいは映像データを含むパケットにパケット化して上り信号を生成するステップと、前記玄関子機が、各フレームの上り信号の送信区間において複数のパケットの上り信号を送信するステップと、前記ドアホン親機が、制御データあるいは音声データを含むパケットにパケット化して下り信号を生成するステップと、前記ドアホン親機が、各フレームの下り信号の送信区間においてパケットの下り信号を送信するステップと、を有する。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
進化元となるゲームコンテンツに対し当該ゲームコンテンツに関連付けられた第１素材ゲームコンテンツを合成することにより、当該ゲームコンテンツの進化先となる第１進化ゲームコンテンツをプレイヤーに所有させる第１合成処理部と、
第１進化ゲームコンテンツに対し当該第１進化ゲームコンテンツに関連付けられた第２素材ゲームコンテンツを合成することにより、当該第１進化ゲームコンテンツの進化先となる第２進化ゲームコンテンツをプレイヤーに所有させる第２合成処理部と、
を備え、
前記第１合成処理部は、進化元となるゲームコンテンツについて所定条件が成立している場合に限って実行する救済処理として、前記進化元となるゲームコンテンツに対し前記第１素材ゲームコンテンツを合成することにより、前記第１進化ゲームコンテンツではなく前記第２進化ゲームコンテンツをプレイヤーに所有させる、
ことを特徴とする情報処理装置。
【請求項２】
請求項１に記載の情報処理装置であって、
前記所定条件は、前記進化元となるゲームコンテンツに対し前記第２素材ゲームコンテンツが既に合成されていることである、
ことを特徴とする情報処理装置。
【請求項３】
請求項１又は２に記載の情報処理装置であって、
前記第２合成処理部は、前記第１進化ゲームコンテンツに対し前記第２素材ゲームコンテンツ以外の他の素材ゲームコンテンツを合成することにより、前記他の素材ゲームコンテンツに設定されたパラメーターに基づいて、前記第１進化ゲームコンテンツに設定されたパラメーターを上昇させる、
ことを特徴とする情報処理装置。
【請求項４】
請求項１又は２に記載の情報処理装置であって、
前記第２合成処理部は、
合成方法選択画面においてプレイヤーが第２進化ゲームコンテンツを獲得するための選択操作を行なった際に、前記第１進化ゲームコンテンツに対し前記第２素材ゲームコンテンツを合成することにより、前記第２進化ゲームコンテンツをプレイヤーに所有させ、
合成方法選択画面においてプレイヤーが前記第１進化ゲームコンテンツに設定されたパラメーターを上昇させるための選択操作を行なった際には、前記第１進化ゲームコンテンツに対し前記第２素材ゲームコンテンツを合成することにより、前記第２素材ゲームコンテンツに設定されたパラメーターに基づいて、前記第１進化ゲームコンテンツに設定されたパラメーターを上昇させる、
ことを特徴とする情報処理装置。
【請求項５】
コンピューターに、
進化元となるゲームコンテンツに対し当該ゲームコンテンツに関連付けられた第１素材ゲームコンテンツを合成することにより、当該ゲームコンテンツの進化先となる第１進化ゲームコンテンツをプレイヤーに所有させる第１合成処理と、
第１進化ゲームコンテンツに対し当該第１進化ゲームコンテンツに関連付けられた第２素材ゲームコンテンツを合成することにより、当該第１進化ゲームコンテンツの進化先となる第２進化ゲームコンテンツをプレイヤーに所有させる第２合成処理と、
を実行させ、
前記第１合成処理では、進化元となるゲームコンテンツについて所定条件が成立している場合に限って実行する救済処理として、前記進化元となるゲームコンテンツに対し前記第１素材ゲームコンテンツを合成することにより、前記第１進化ゲームコンテンツではなく前記第２進化ゲームコンテンツをプレイヤーに所有させる、
ことを特徴とするゲームプログラム。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
所定の遊技を行なうことが可能な遊技機であって、
第１特定値から第２特定値になるまでカウントされる値を報知する報知手段と、
前記報知手段によって報知された値が前記第２特定値になったときに可動体の動作を含む複数種類の演出のいずれかの演出を実行する演出実行手段と、
前記複数種類の演出のいずれかの演出に対して前記報知手段による報知を実行するか否かを決定する決定手段とを備え、
前記決定手段は、前記報知手段によって実行される報知の報知期間が重複しないように、前記複数種類の演出のうちの遊技者にとって有利度が高い特定演出に対する報知を優先して実行することを決定する、遊技機。
【手続補正２】
【補正対象書類名】明細書
【補正対象項目名】０００７
【補正方法】変更
【補正の内容】
【０００７】
（１）所定の遊技を行なうことが可能な遊技機（パチンコ遊技機１）であって、第１特定値（たとえば、「３」、「７」、「１０」および「２０」のうちのいずれか）から第２特定値（たとえば、「０」）になるまでカウントされる値を報知する報知手段（サブ表示装置１５２）と、前記報知手段によって報知された値が前記第２特定値になったときに可動体の動作を含む複数種類の演出（図１８の演出Ａ〜演出Ｅ）のいずれかの演出を実行する演出実行手段（演出制御用マイクロコンピュータ１００、図２２のＳ６０１〜Ｓ６０５）と、前記複数種類の演出のいずれかの演出に対して前記報知手段による報知（カウントダウン演出）を実行するか否かを決定する決定手段（演出制御用マイクロコンピュータ１００、図２２のＳ６０６，Ｓ６０９〜Ｓ６１６）とを備え、前記決定手段は、前記報知手段によって実行される報知の報知期間（カウントダウン演出の実行期間）が重複しないように、前記複数種類の演出のうちの遊技者にとって有利度が高い特定演出（可動体落下演出）に対する報知を優先して実行することを決定する（図２２のＳ６１１，Ｓ６１２，Ｓ６１６）。
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
金融商品の取引画面を表示する通信端末装置において、
金融商品の複数の特定銘柄のそれぞれに応じたアイコンに係る特定銘柄選択受付部を複数含む画面を表示する手段と、
前記画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示する手段と
を備えることを特徴とする通信端末装置。
【請求項２】
金融商品の取引画面を表示する通信端末装置において、
金融商品の複数の特定銘柄のそれぞれに応じたアイコンに係る特定銘柄選択受付部を複数含むと共に、金融商品取引に応じた取引アイコンに係る金融商品取引選択受付部を含む第１の画面を表示する手段と、
前記第１の画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示する手段と
を備えることを特徴とする通信端末装置。
【請求項３】
前記第１の画面に含まれる金融商品取引選択受付部を選択するユーザ選択操作を受け付けた場合、複数の特定銘柄のそれぞれ応じたアイコンに係る特定銘柄選択受付部を複数含む第２の画面を表示する手段を備える請求項２に記載の通信端末装置。
【請求項４】
前記第２の画面に含まれる特定銘柄選択受付部の数は、前記第１の画面に含まれる特定銘柄選択受付部の数より多くしてある請求項３に記載の通信端末装置。
【請求項５】
通信端末装置で金融商品の取引画面を表示する金融商品取引方法において、
前記通信端末装置は、
金融商品の複数の特定銘柄のそれぞれに応じたアイコンに係る特定銘柄選択受付部を複数含む画面を表示するステップと、
前記画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示するステップと
を実行することを特徴とする金融商品取引方法。
【請求項６】
通信端末装置で金融商品の取引画面を表示する金融商品取引方法において、
前記通信端末装置は、
金融商品の複数の特定銘柄のそれぞれに応じたアイコンに係る特定銘柄選択受付部を複数含むと共に、金融商品取引に応じた取引アイコンに係る金融商品取引選択受付部を含む第１の画面を表示するステップと、
前記第１の画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示するステップと
を実行することを特徴とする金融商品取引方法。
【請求項７】
通信手段を有するコンピュータで金融商品の取引画面を表示させる処理を行うためのコンピュータプログラムにおいて、
前記コンピュータに、
金融商品の複数の特定銘柄のそれぞれに応じたアイコンに係る特定銘柄選択受付部を複数含む画面を表示するステップと、
前記画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示するステップと
を実行させることを特徴とするコンピュータプログラム。
【請求項８】
通信手段を有するコンピュータで金融商品の取引画面を表示させる処理を行うためのコンピュータプログラムにおいて、
前記コンピュータに、
金融商品の複数の特定銘柄のそれぞれに応じたアイコンに係る特定銘柄選択受付部を複数含むと共に、金融商品取引に応じた取引アイコンに係る金融商品取引選択受付部を含む第１の画面を表示するステップと、
前記第１の画面に含まれる複数の特定銘柄選択受付部のいずれか一つを選択するユーザ選択操作を受け付けた場合、ユーザ選択操作を受け付けた特定銘柄選択受付部に係る特定銘柄専用の特定銘柄取引画面を表示するステップと
を実行させることを特徴とするコンピュータプログラム。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
同軸上に連結されるコンプレッサ及びタービンと、
前記コンプレッサの軸端に連結される電動発電機と、
前記電動発電機のステータにおける巻線に電流を供給して加熱するヒータ装置と、
前記コンプレッサ及び前記タービンが駆動する前に前記ヒータ装置を停止する制御装置と、
を備えることを特徴とする排気タービン過給機。
【請求項２】
前記制御装置は、主機に作動気体を供給する作動気体指令信号が入力されると、前記ヒータ装置を停止することを特徴とする請求項１に記載の排気タービン過給機。
【請求項３】
前記制御装置は、前記作動気体指令信号が入力されると、前記ヒータ装置を停止した後、予め設定された所定の第１待ち時間の経過後に主機への作動気体の供給を開始することを特徴とする請求項２に記載の排気タービン過給機。
【請求項４】
前記制御装置は、前記主機に燃料を供給する燃料供給指令信号が入力されると、前記ヒータ装置を停止することを特徴とする請求項１に記載の排気タービン過給機。
【請求項５】
前記制御装置は、前記燃料供給指令信号が入力されると、前記ヒータ装置を停止した後、予め設定された所定の第１待ち時間の経過後に主機への作動気体の供給を開始し、その後に前記主機に燃料を供給することを特徴とする請求項４に記載の排気タービン過給機。
【請求項６】
前記主機に焼用気体を供給する補助ブロワが設けられ、前記制御装置は、前記補助ブロワが起動すると前記ヒータ装置を停止することを特徴とする請求項１に記載の排気タービン過給機。
【請求項７】
前記電動発電機の回転数を検出または推定する回転数検出推定装置が設けられ、前記制御装置は、前記回転数検出推定装置が検出または推定した前記電動発電機の回転数が予め設定された規定回転数以下になると、予め設定された所定の第２待ち時間の経過後に前記ヒータ装置を作動することを特徴とする請求項１から請求項６のいずれか一項に記載の排気タービン過給機。
【請求項８】
前記制御装置は、作動気体供給停止指令信号が入力されると、予め設定された所定の第３待ち時間の経過後に前記ヒータ装置を作動することを特徴とする請求項２または請求項３のいずれかに記載の排気タービン過給機。
【請求項９】
前記制御装置は、燃料供給停止指令信号が入力されると、予め設定された所定の第４待ち時間の経過後に前記ヒータ装置を作動することを特徴とする請求項４または請求項５のいずれかに記載の排気タービン過給機。
【請求項１０】
前記制御装置は、前記補助ブロワの駆動が停止してから予め設定された所定の第５待ち時間の経過後に前記ヒータ装置を作動することを特徴とする請求項４から請求項６または請求項９のいずれかに記載の排気タービン過給機。
【請求項１１】
主機本体と、
請求項１から請求項１０のいずれか一項の排気タービン過給機と、
を備えることを特徴とする主機。
【請求項１２】
請求項１１の主機を備えることを特徴とする船舶。
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
背板の上部に開閉可能に取り付けられた第１天板と、
前記第１天板の前側に配置される第２天板と、
第１孔を有し、前記第２天板の下側に取り付けられた取付部材と、
第２孔を有し、前記第２天板の下側かつ前記取付部材の前側に配置される天前板と、
前記第１孔と前記第２孔が前後に配置されている状態で、前記第１孔及び前記第２孔に挿通されて、前記取付部材及び前記天前板を固定する固定部材と、
を備え、
前記取付部材と前記天前板の間に隙間を有することを特徴とする鍵盤楽器。
【請求項２】
請求項１に記載の鍵盤楽器において、前記背板は一対の側板の後部に設けられ、前記第２天板の前記一対の側板に対する設置位置は、前記固定部材により前記取付部材及び前記天前板が固定される際に調整されていることを特徴とする鍵盤楽器。
【請求項３】
請求項１または請求項２に記載の鍵盤楽器において、前記固定部材は、前記天前板の前側から前記取付部材及び前記天前板を固定していることを特徴とする鍵盤楽器。
【請求項４】
請求項１〜請求項３のいずれかに記載の鍵盤楽器において、前記取付部材は、前記第２天板の下面に取り付けられる第１取付部と前記天前板の後面に対して取り付けられる第２取付部とを有することを特徴とする鍵盤楽器。
【請求項５】
請求項１〜請求項４のいずれかに記載の鍵盤楽器において、前記第１天板の前端部には、その上面から下面に向けてオーバーハング状に傾斜する第１傾斜面が設けられており、前記第２天板部の後端部には、その下面から上面に向けて傾斜し、前記第１天板の前記第１傾斜面の下側に潜り込む第２傾斜面が設けられていることを特徴とする鍵盤楽器。
【請求項６】
請求項１〜請求項５のいずれかに記載の鍵盤楽器において、前記天前板の前面には、放音用のネット部材が設けられていることを特徴とする鍵盤楽器。
【請求項７】
一対の側板の後部に設けられた背板の上部に第１天板を回転可能に取り付ける第１の工程と、
前記第１天板の前側に位置する前記一対の側板上に第２天板を配置する際に、前記第１天板の前端部と前記第２天板の後端部との間に隙間ゲージを配置し、この状態で第２天板の下側に取り付けられた第１孔を有する取付部材と、前記第２天板の下側かつ前記取付部材の前側に配置された第２孔を有する天前板とを、前記天前板の前側から前記第１孔及び前記第２孔を挿通することにより固定する固定部材によって前記第２天板の前記一対の側板に対する取付位置を調整する第２の工程と、
を有していることを特徴とする天板組立方法。
【請求項８】
請求項１〜請求項６のいずれかに記載された鍵盤楽器において、複数の鍵を有する鍵盤部と、
前記複数の鍵のいずれかに対する押鍵操作に応答して楽音を発音する発音部と、
を備えていることを特徴とする電子鍵盤楽器。
【手続補正２】
【補正対象書類名】明細書
【補正対象項目名】発明の名称
【補正方法】変更
【補正の内容】
【発明の名称】鍵盤楽器、天板組立方法、および電子鍵盤楽器
【手続補正３】
【補正対象書類名】明細書
【補正対象項目名】０００１
【補正方法】変更
【補正の内容】
【０００１】
この発明は、ピアノやオルガンなどの鍵盤楽器、その天板組立方法、およびそれらを備えた電子鍵盤楽器に関する。
【手続補正４】
【補正対象書類名】明細書
【補正対象項目名】０００６
【補正方法】変更
【補正の内容】
【０００６】
この発明が解決しようとする課題は、第１天板および第２天板を良好に取り付けることができる鍵盤楽器、天板組立方法、および電子鍵盤楽器を提供することである。
【手続補正５】
【補正対象書類名】明細書
【補正対象項目名】０００７
【補正方法】変更
【補正の内容】
【０００７】
この発明の一態様は、背板の上部に開閉可能に取り付けられた第１天板と、前記第１天板の前側に配置される第２天板と、第１孔を有し、前記第２天板の下側に取り付けられた取付部材と、第２孔を有し、前記第２天板の下側かつ前記取付部材の前側に配置される天前板と、前記第１孔と前記第２孔が前後に配置されている状態で、前記第１孔及び前記第２孔に挿通されて、前記取付部材及び前記天前板を固定する固定部材と、を備え、前記取付部材と前記天前板の間に隙間を有することを特徴とする鍵盤楽器である。
【手続補正６】
【補正対象書類名】明細書
【補正対象項目名】０００８
【補正方法】変更
【補正の内容】
【０００８】
この発明によれば、第１天板および第２天板を良好に取り付けることができる。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
表示装置に画像を出力する画像処理装置であって、
入力された画像から複数のサブフレーム画像を生成する手段と、
前記複数のサブフレーム画像に含まれる一つ以上のサブフレーム画像の明るさを調整して、明画像と前記明画像より暗い暗画像を生成する生成手段と、
前記生成手段における前記明るさの調整度合いに応じた補正値を用いて、表示デバイスの色むらを低減する色むら補正処理を前記明画像と前記暗画像に施す補正手段とを有する画像処理装置。
【請求項２】
前記生成手段は、前記複数のサブフレーム画像に含まれる一つ以上のサブフレーム画像の明るさを明るく調整した前記明画像と、前記一つ以上のサブフレーム画像とは異なるサブフレーム画像の明るさを前記明画像よりも暗く調整した前記暗画像を生成する請求項1に記載された画像処理装置。
【請求項３】
前記生成手段は、前記明画像を出力した後、前記暗画像を出力する請求項1または請求項2に記載された画像処理装置。
【請求項４】
さらに、前記生成手段における前記明るさの調整度合いに応じて、前記補正手段が参照する色むら補正テーブルを制御する制御手段を有する請求項1から請求項3の何れか一項に記載された画像処理装置。
【請求項５】
前記補正手段は、注目画素の信号レベルと前記表示デバイスにおける表示位置に基づき、前記色むら補正テーブルを参照して、前記補正値を取得する請求項4に記載された画像処理装置。
【請求項６】
表示装置に画像を出力する画像処理装置であって、
入力された画像から、明るさの調整度合いに応じた補正値を用いて、表示デバイスの色むらを低減する色むら補正処理を前記画像に施す補正手段と、
前記色むら補正処理が施された画像から複数のサブフレーム画像を生成する手段と、
前記明るさの調整度合いに基づき、前記複数のサブフレーム画像に含まれる一つ以上のサブフレーム画像の明るさを調整して、明画像と前記明画像より暗い暗画像を生成する生成手段とを有する画像処理装置。
【請求項７】
前記調整度合いを設定する設定手段をさらに備える請求項1から請求項6の何れか一項に記載された画像処理装置。
【請求項８】
前記設定手段は、ユーザ指示に従って前記調整度合いを設定する請求項7に記載された画像処理装置。
【請求項９】
前記設定手段は、フレーム間における動きの有無、および／または、フレーム間における動きの大きさに基づいて、前記調整度合いを設定する請求項7に記載された画像処理装置。
【請求項１０】
ホールド型の表示デバイスと、
請求項1から請求項9の何れか一項に記載された画像処理装置とを有する画像表示装置。
【請求項１１】
表示装置に画像を出力する画像処理装置の画像処理方法であって、
入力された画像から複数のサブフレーム画像を生成し、
前記複数のサブフレーム画像に含まれる一つ以上のサブフレーム画像の明るさを調整して、明画像と前記明画像より暗い暗画像を生成し、
前記明画像と暗画像の生成における前記明るさの調整度合いに応じた補正値を用いて、表示デバイスの色むらを低減する色むら補正処理を前記明画像と前記暗画像に施す画像処理方法。
【請求項１２】
表示装置に画像を出力する画像処理装置の画像処理方法であって、
入力された画像から、明るさの調整度合いに応じた補正値を用いて、表示デバイスの色むらを低減する色むら補正処理を前記画像に施し、
前記色むら補正処理が施された一つのフレームの画像から複数のサブフレーム画像を生成し、
前記明るさの調整度合いに基づき、前記複数のサブフレーム画像に含まれる一つ以上のサブフレーム画像の明るさを調整して、明画像と前記明画像より暗い暗画像を生成する画像処理方法。
【請求項１３】
コンピュータを請求項1から請求項9の何れか一項に記載された画像処理装置の各手段として機能させるためのプログラム。
【手続補正２】
【補正対象書類名】明細書
【補正対象項目名】００１３
【補正方法】変更
【補正の内容】
【００１３】
本発明の一態様による画像処理装置は、表示装置に画像を出力する画像処理装置であって、入力された画像から複数のサブフレーム画像を生成する手段と、前記複数のサブフレーム画像に含まれる一つ以上のサブフレーム画像の明るさを調整して、明画像と前記明画像より暗い暗画像を生成する生成手段と、前記生成手段における前記明るさの調整度合いに応じた補正値を用いて、表示デバイスの色むらを低減する色むら補正処理を前記明画像と前記暗画像に施す補正手段とを有する。
【手続補正書】
【提出日】平成30年3月22日(2018.3.22)
【手続補正１】
【補正対象書類名】明細書
【補正対象項目名】０００１
【補正方法】変更
【補正の内容】
【０００１】
この発明は、複写機の原稿圧着板などの蓋体を開閉支持する際に用いて好適な開閉支持装置に関する。
【手続補正２】
【補正対象書類名】明細書
【補正対象項目名】０００７
【補正方法】変更
【補正の内容】
【０００７】
以上のような問題を解決する本発明は、装置本体と、この装置本体に対して開閉される原稿圧着板との間に設けられた開閉支持装置であって、装置本体側に支持されたヒンジシャフトと、前記ヒンジシャフトによって揺動可能に支持されるとともに、前記開閉蓋に揺動端部が固定された支持部材と、前記支持部材において、前記ヒンジシャフトに対して揺動端部の反対側端部に、一端部が接続されたリンク部材と、前記リンク部材の他端部に接続されたスプリング受け部材と、前記リンク部材を介して、前記支持部材を開放させる方向に揺動させる付勢力を、前記スプリング受け部材に対して付与する弾性部材とを備えたことを特徴とする。
【手続補正３】
【補正対象書類名】明細書
【補正対象項目名】００３１
【補正方法】変更
【補正の内容】
【００３１】
図５は、本発明の構成（Ｂ）と、従来の構成（Ａ）を示す模式図である。従来の構成（Ａ）では、ヒンジシャフト７０ｃと装置本体２ｃとの間に圧縮コイルスプリング８１ｃを配置し、ヒンジシャフト７０ｃと装置本体２ｃの間で、スプリング８１ｃによる弾性力を作用させる構成であったため、ヒンジシャフト７０ｃと装置本体２ｃとの距離Ｌａを長く採る必要があった。また、通常、圧縮コイルスプリングの弾性力によってヒンジシャフトを中心に発生する回動付勢力は、ヒンジシャフトの中心から力点までの距離が長いほど強くなるものであるが、従来の構成（Ａ）のこの距離Ｍａより本発明の構成（Ｂ）の距離Ｍｂの方が長いことから、本発明のものの方が回転付勢力が強いことになる。それ故、従来の構成（Ａ）のものは、原稿圧着板を開くと、支持部材７ｃと装置本体２ｃとの間の間隙が広くなり、かつ、圧縮コイルスプリング８１ｃにバネ荷重の大きなものを用いる必要があった。これに対し本発明の構成（Ｂ）では、ヒンジシャフト７０と装置本体２との間の距離Ｌｂが、上記した構成（Ａ）のＬａよりも短くなり、さらに上記距離Ｍｂが、従来の構成（Ａ）距離Ｍａ長くなったことから、バネ荷重の小さな圧縮コイルスプリング８１で足りることになり、装置の小型化をも図ることができたものである。
【手続補正４】
【補正対象書類名】特許請求の範囲
【補正対象項目名】全文
【補正方法】変更
【補正の内容】
【特許請求の範囲】
【請求項１】
装置本体と、この装置本体に対して開閉される原稿圧着板との間に設けられた開閉支持装置であって、
装置本体側に支持されたヒンジシャフトと、
前記ヒンジシャフトによって揺動可能に支持されるとともに、前記原稿圧着板に揺動端部が固定された支持部材と、
前記支持部材において、前記ヒンジシャフトに対して揺動端部の反対側端部に、一端部が接続されたリンク部材と、
前記リンク部材の他端部に接続されたスプリング受け部材と、
前記リンク部材を介して、前記支持部材を開放させる方向に揺動させる付勢力を、前記スプリング受け部材に対して付与する弾性部材とを備えた開閉支持装置。
【請求項２】
装置本体側に固定され、前記スプリング受け部材の移動方向を規制する案内部材を有する請求項１に記載の開閉支持装置。
【請求項３】
前記案内部材は、弾性部材とスプリング受け部材を収容する収容部を有し、スプリング受け部材は収容部内で移動する請求項２に記載の開閉支持装置。
【手続補正５】
【補正対象書類名】図面
【補正対象項目名】図５
【補正方法】変更
【補正の内容】
【図５】
2016180862.tif 000001
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
複数の押弦位置が定められた指板と、
前記押弦位置の夫々に対応付けて設けられ、導電性の複数の弦夫々との間の距離の変化に応じて共振周波数が変化するとともに、前記共振周波数が隣接する前記押弦位置間で夫々異なるように構成された複数の共振回路と、
前記共振周波数の変化を検知する複数のセンサと、
前記複数のセンサ夫々が検知した前記共振周波数の変化に基づいて、押弦位置を検知する押弦位置検知部と、
を備える押弦位置検知装置。
【請求項２】
前記共振回路は、隣接する前記押弦位置間で当該各押弦位置に対応する各前記共振回路に含まれる各キャパシタの容量値が異なる請求項１に記載の押弦位置検知装置。
【請求項３】
前記指板の位置に応じて、前記共振周波数の異なる共振回路の数を変化させる請求項１または２に記載の押弦位置検知装置。
【請求項４】
複数の弦と、
請求項１乃至３のいずれかに記載の前記押弦位置検知装置と、
前記押弦位置検知装置により検知される押弦位置に応じた音高で楽音を発生する音源と、を有する電子弦楽器。
【請求項５】
複数の押圧位置が定められた誘導性の押圧板と、
前記押圧位置の夫々に対応付けて設けられ、夫々が前記押圧板との間の距離の変化に応じて共振周波数が変化し、前記共振周波数が隣接する前記押圧位置間で夫々異なるように構成された複数の共振回路と、
前記共振周波数の変化を検知する複数のセンサと、
前記複数のセンサ夫々が検知する前記共振周波数の変化に基づいて、押圧位置を検知する押圧位置検知部と、
を備える押圧位置検知装置。
【手続補正２】
【補正対象書類名】明細書
【補正対象項目名】０００６
【補正方法】変更
【補正の内容】
【０００６】
態様の一例では、複数の押弦位置が定められた指板と、前記押弦位置の夫々に対応付けて設けられ、導電性の複数の弦夫々との間の距離の変化に応じて共振周波数が変化するとともに、前記共振周波数が隣接する前記押弦位置間で夫々異なるように構成された複数の共振回路と、前記共振周波数の変化を検知する複数のセンサと、前記複数のセンサ夫々が検知した前記共振周波数の変化に基づいて、押弦位置を検知する押弦位置検知部と、を備える。
【手続補正書】
【提出日】平成30年3月29日(2018.3.29)
【手続補正１】
【補正対象書類名】明細書
【補正対象項目名】発明の名称
【補正方法】変更
【補正の内容】
【発明の名称】電子鍵盤楽器、共鳴音発生装置、方法、プログラムおよび電子楽器
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
受光センサ（受光素子）を駆使した電子楽器において、さまざまな光の中から音楽を創りだすための光源の設定と調整機能を備えた入射口より選択された光を、知覚による操作を可能としたコントローラを備えた自在可動光反射板に反射させて、音名音階ごとに区分けされた受光センサ（受光素子）へ、前記光反射板の知覚による操作によって照射される位置の変化から各音信号を音源へ出力し音を奏でる特徴を有するさまざまな光を利用して音やメロディーの創出および演奏を可能とした受光センサ（受光素子）を駆使した電子楽器
【請求項２】
受光センサー（受光素子）を駆使した電子楽器において、日常生活の中にあるさまざまな光（部屋の照明、街灯、街のイルミネーション等など）を、音やメロディーを奏でるための光源に利用できる特徴を有し、前記さまざまな光源からの光の設定と調整を行う機能を備えた入射口より入射された光を、知覚操作を可能とした自在可動機能を備えた光反射板と、その光反射板の知覚操作を行うコントローラ（コントロールレバー、コントロールパネル等）を操作して、電子楽器、シンセサイザー、音源モジュール等に接続される音名音階ごとに区分けされた受光センサ（受光素子）へ知覚照射を行い、その光反射板による知覚照射を受けた受光センサ（受光素子）の光の検知や感知によって音の変化を創りだしメロディーを奏でる特徴を有する受光センサ（受光素子）を駆使した電子楽器電子楽器。
【請求項３】
請求項１に記載の受光センサ（受光素子）を駆使した電子楽器の光反射板コントローラにおいて、電子管楽器を奏でるときの右手使い側と左手使い側の二本に分け、複数の管楽器の奏で方に対応できる電子指孔を二本に分けた管楽器に配列し呼吸を吹く演奏方法にはブレスコントローラを流用しその二本に分割された管楽器の演奏を可能とし、かつ二本に分けた管を光反射板のコントロールレーバー（図４-Ｚ、Ｘ１、Ｘ２参照）として利用し電子管楽器との一人合奏を可能とした特徴を有する請求項１に記載の受光センサ（受光素子）を駆使した電子楽器
【請求項４】
請求項３に記載の二本に分割された前記電子管楽器を演奏と同時に光反射板のコントローラとして使用する前記コントロール機能を光反射板のコントロール以外の機器（演奏に関連した舞台装置等）操作をコントロールに対応させた分割された管楽器の演奏をしながら他の装置のコントロールを可能とした請求項３に記載の受光センサ（受光素子）を駆使した電子楽器
【請求項５】
音楽を創出する目的で光の入射口を有する受光センサ（受光素子）を駆使した電子楽器において、入射口より被写体中の移動する光をロックオン等（自動追尾）の設定と調整可能な機能を前記入射口に備え、前記入射口より音楽を奏でるために取り込まれた移動する光を、ありとあらゆる方向への反射を可能とした光反射板の制御と、前記反射板を設定された角度で固定したときには被写体中の光の移動による反射よって照射位置が変化することなどを利用し音名音階ごとに区分けされた受光センサ（受光素子）に照射され音が創出される特徴を有する受光センサ（受光素子）を駆使した電子楽器
【請求項６】
受光センサ（受光素子）を駆使した電子楽器において、ビデオカメラ等の撮影機能に使用されている、インターライン型ＣＣＤイメージセンサやＣＭＯＳイメージセンサ等の一体の配列からなる受光素子（図３―符号Ｑ参照）を音名音階ごとに区分けし、その区分けされた受光素子の音名音階各部ごとの信号を、音源へ送る配信構造が施された特徴を有する受光センサ（受光素子）の光の検知や感知によって音を出力する請求項１項に記載の、受光センサ（受光素子）を駆使した電子楽器
【請求項７】
請求項１および請求項６に記載の音名音階ごとに区分けされた受光素子において、配列した単位受光素子を音名音階ごとに区分けし、各区分にあたる光量の最大値をその音階とする受光板を備えた配信構造施した特徴を有する受光素子を使用した請求項１に記載の光の検知や感知によって音の変化を創りだしメロディーを奏でる受光センサ（受光素子）を駆使した電子楽器
【請求項８】
請求項１および請求項６に記載の音名音階ごとに区分けした受光素子において、各区分にあたる光量の測定とその区分から出力を開始する基準値の設定及び調整を可能とした構成を施した特徴を有する受光素子を使用した受光センサ（受光素子）を駆使した電子楽器
【請求項９】
請求項１に記載の光反射板を操作して音楽を奏でる電子楽器において、前記電子楽器システムの入射口を、ビデオカメラやビデオカメラ機能搭載機器等の撮影用入射レンズを流用し、ビデオカメラ撮影機能内部（図３参照）に前記電子楽器システムを組み込み、そのビデオカメラ機能による被写体の映像画面を見ながら、光源からの光の設定と調整を行い、電子楽器シンセサイザー等に接続される,音名音階ごとに区分けされた受光センサ（受光素子）へ光反射板の知覚操作による照射によって光の検知や感知から音の変化を創りだしメロディーを奏でる特徴を有する電子楽器。
【請求項１０】
請求項１に記載の光センサ（受光素子）を駆使した電子楽器において、前記電子楽器メカニズムの電子化（３ＤＣＧ等）処理を行い、ＰＣやスマートフォン、ドライブレコーダー等のビデオカメラ機能搭載のハードウェアー機器および分割したビデオカメラ機能に接続されるハードウェアー機器にインストールされるソフトウェアーに変換し、前記ハードウェアー機器のビデオカメラ機能の映像や画像信号等を利用し、ソフトウェアーに変換された光反射板の知覚照射機能と受光センサ（受光素子）による電子楽器のシュミレーションをそのビデオカメラ映像の中に合成し起動させて、ビデオカメラ映像画面上に構成された自在可動機能を備えた光反射板と受光センサ（受光素子）シュミレーションによる知覚操作と、電子化にともなう画面上の光源、反射板の角度や位置関係等から割り出された計算式を使って、さまざまな光をから音やメロディー奏でる特徴を有する請求項１に記載の受光センサ（受光素子）を駆使した電子楽器
【手続補正書】
【提出日】平成30年3月9日(2018.3.9)
【手続補正１】
【補正対象書類名】明細書
【補正対象項目名】００４４
【補正方法】変更
【補正の内容】
【００４４】
インターフェース部１１には、例えばタブレット２、３を接続でき、書画カメラ４はインターフェース部１１及び画像インターフェース部１２のいずれに接続してもよいが、本実施形態では、インターフェース部１１にタブレット２、３及び書画カメラ４が接続する。
タブレット２、３はインターフェース部１１の無線ＬＡＮインターフェースに接続し、書画カメラ４はＵＳＢインターフェースに接続する。
プロジェクター１００は、インターフェース部１１及び画像インターフェース部１２に接続する機器のうち、画像データ又はアナログ画像信号を入力する機器を、画像ソースとして認識する。
【手続補正２】
【補正対象書類名】明細書
【補正対象項目名】００９９
【補正方法】変更
【補正の内容】
【００９９】
制御部３０は、メニューバーＭのアイコンの位置における操作を検出した場合（ステップＳ５２）、検出した操作が画像のキャプチャーを指示する操作であるか否かを判定する（ステップＳ５３）。ステップＳ５３の判定は、指示体７０の操作位置が、メニューバーＭに含まれるキャプチャー指示のアイコン上の座標であるか否かに基づき、行われる。
画像のキャプチャーの指示であると判定した場合（ステップＳ５３；Ｙｅｓ）、制御部３０は、メニューバーＭを表示している領域のキャプチャー画像を生成し（ステップＳ５４）、キャプチャー画像の処理に係る操作を待機する（ステップＳ５５）。
【手続補正３】
【補正対象書類名】明細書
【補正対象項目名】０１１２
【補正方法】変更
【補正の内容】
【０１１２】
続いて、制御部３０は、移動先が処理領域であるか否かを判定する（ステップＳ７４）。移動先が処理領域である場合（ステップＳ７４；Ｙｅｓ）、制御部３０は、移動するオブジェクトまたは移動元の領域のキャプチャー画像を、移動先の処理領域にオブジェクトとして表示し（ステップＳ７５）、本処理を終了する。
【手続補正４】
【補正対象書類名】図面
【補正対象項目名】図２
【補正方法】変更
【補正の内容】
【図２】
2016180942.tif 000001
【手続補正５】
【補正対象書類名】図面
【補正対象項目名】図１１
【補正方法】変更
【補正の内容】
【図１１】
2016180942.tif 000002
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
第１モードと第２モードとで動作可能に構成された半導体装置であって、
動作電源電圧を電源ラインに出力する電源部と、
前記電源ラインに接続されて前記動作電源電圧を受け取る駆動部と、
前記動作電源電圧の供給開始、及び、前記電源ラインのディスチャージ解除によって前記電源部による前記駆動部への前記動作電源電圧の供給を制御する制御部と、
を備え、
前記制御部は、前記第１モードにおける前記動作電源電圧の供給開始タイミングを前記第２モードにおける前記動作電源電圧の供給開始タイミングに対してずらすと共に、前記第１モードと前記第２モードにおいて前記電源ラインのディスチャージ解除のタイミングを同じとするように構成された、半導体装置。
【請求項２】
前記制御部が、更に、前記動作電源電圧の供給停止、及び、前記電源ラインのディスチャージ開始によって、前記駆動部に対する前記動作電源電圧の遮断を制御するように構成された
請求項１に記載の半導体装置。
【請求項３】
前記動作電源電圧の前記駆動部への供給が、前記半導体装置の低消費電力状態の解除の指示を受けて開始される
請求項１に記載の半導体装置。
【請求項４】
更に、前記電源ラインを前記半導体装置の外部装置に接続可能にする外部電源端子
を備える
請求項１乃至３のいずれか１項に記載の半導体装置。
【請求項５】
前記制御部が、前記第１モードと前記第２モードにおいて前記電源ラインのディスチャージ開始のタイミングを同じとするように構成された
請求項１に記載の半導体装置。
【請求項６】
複数個の半導体装置
を備え、
前記複数個の半導体装置のそれぞれは、
動作電源電圧を電源ラインに出力する電源部と、
前記電源ラインに接続されて動作電源電圧を受け取る駆動部と、
前記動作電源電圧の供給開始、及び、前記電源ラインのディスチャージ解除によって前記電源部による前記駆動部への前記動作電源電圧の供給を制御する制御部と、
を備え、
前記複数個の半導体装置のうちの第１半導体装置における前記動作電源電圧の供給開始タイミングは、前記複数個の半導体装置のうちの第２半導体装置における前記動作電源電圧の供給開始タイミングからずれており、前記電源ラインのディスチャージ解除のタイミングが前記第１半導体装置と前記第２半導体装置の間で同じになっている
電子機器。
【請求項７】
前記制御部が、更に、前記動作電源電圧の供給停止、及び、前記電源ラインのディスチャージ開始によって、前記駆動部に対する前記動作電源電圧の遮断を制御するように構成された
請求項６に記載の電子機器。
【請求項８】
前記第１半導体装置及び前記第２半導体装置のそれぞれの前記電源ラインが、互いに接続されている
請求項６に記載の電子機器。
【請求項９】
前記第１半導体装置がスレーブモードで動作し、前記第２半導体装置がマスタモードで動作する
請求項６に記載の電子機器。
【請求項１０】
前記第１半導体装置と前記第２半導体装置の少なくとも一方は、前記動作電源電圧の供給開始タイミングのずらし量を指定するレジスタを備える
請求項６に記載の電子機器。
【請求項１１】
電源部と駆動部とを備える半導体装置の動作を制御する制御方法であって、
動作電源電圧の供給開始、及び、電源ラインのディスチャージ解除によって、前記電源部から前記駆動部に前記電源ラインを介して前記動作電源電圧を供給することと、
前記動作電源電圧の供給停止、及び、前記電源ラインのディスチャージ開始によって、前記駆動部に対する前記動作電源電圧の供給を遮断することと、
第１動作モードにおいて前記半導体装置を動作させた場合の前記動作電源電圧の供給開始タイミングを、第２動作モードにおいて前記半導体装置を動作させた場合に対してずらすことと、
前記電源ラインのディスチャージ解除のタイミングを前記第１動作モードと前記第２動作モードとで同一に制御すること
とを含む
制御方法。
【請求項１２】
前記動作電源電圧の前記駆動部への供給が、前記半導体装置の低消費電力状態の解除の指示を受けて開始する
請求項１１の制御方法。
【請求項１３】
更に、前記半導体装置の外部にある表示ドライバに、前記電源ラインに接続された端子を用いて前記動作電源電圧を出力することを含む
請求項１１に記載の制御方法。
【手続補正２】
【補正対象書類名】明細書
【補正対象項目名】発明の名称
【補正方法】変更
【補正の内容】
【発明の名称】半導体装置、電子機器及び制御方法